Podtech/llm-jp-corpus-v4-ja_patent huggingface dataset:
(57)【要約】【課題】畜産下水の処理システムに関するもので、珪藻土焼成粒・籾殻破砕・木質破砕の多孔質体をもつ素材の状態を最大限に自然発酵を促進保持できる炭化物を焼成し、比表面積の大きい特性を活用し、保水性、吸着性、透水性、通気性等機能が十分発揮でき、さらには、塩素除去、除菌、消毒機能を特徴とした。しかも、多孔質体に生菌・各種微生物・バイオが自然含侵された自然発酵促進を特徴とした畜産下水の処理システム。【解決手段】畜産下水処理システムは、多孔質の珪藻土焼成粒・籾殻破砕・木質破砕に自然発酵を促進した有益機能を効率よく発揮できる炭化物を備えた。本発明は、自然発酵を行なう醗酵促進方法を取り入れた畜産下水の処理システムを提供する。【選択図】なし【特許請求の範囲】
【請求項１】
多孔質の珪藻土焼成顆粒・籾殻破砕・木質破砕に、自然発酵促進とする炭化物の粒状物を生成する工程を、用途に応じて均一粒状、もしくは異なる粒状、粉末を適用させた畜産下水処理システム。
【請求項２】
上記工程は、多孔質体の珪藻土焼成粒・籾殻破砕・木質破砕を１，０００度以下の温度で焼成し、特に２ｍｍアンダーに分別、炭化することを特徴とし、その、一種類、又は一種類以上を有した畜産下水の処理システム。
【請求項３】
上記粒状物集団を炭化した炭化物は、珪藻土焼成顆粒９０から４０重量％で炭化籾殻破砕・木質破砕１０から６０重量％の畜産下水の処理システム。
【請求項４】
請求項１、２、３の炭化物が用途適用に粉末混合、分別混合して一種類、又は一種類以上を有する畜産下水の処理システム。本適用汎用が、本発明の趣旨構造を逸脱しない範囲の変更は本発明に含まれる。
【発明の詳細な説明】
【技術分野】
【０００１】本発明は、畜産下水の処理システムに関する。
【背景技術】
【０００２】従来、畜産下水は、固形物排水と液状排水に分別し、腐敗層から離脱液に希釈水を添加し放流し、高負荷ＢＯＤ値を低下する活性汚泥処理が実施されている。
【発明の開示】
【発明が解決しようとする課題】
【０００３】畜産から発生する下水の処理に経済負担を軽減とする。【０００４】畜産下水処理システムの発酵促進の炭化物を高温化に活用する場合に、より微細に、より多くの表面積をもって燃焼することが必要である。【０００５】本発明は、畜産下水に天然素材の珪藻土焼成粒・籾殻破砕・木質破砕の素材を基材にした炭化物を添加することを特徴とする畜産排水の処理システム。
【課題を解決するための手段】
【０００６】珪藻土焼成粒・籾殻破砕・木質破砕の多孔質体、細孔構造部分に炭化物を付着させることにより多孔質体を基材とした炭化物を製造し通気性のよい袋体に詰め込んで２週間ほど複数段に積み重ね効果で自然醗酵促進を可能とする。【０００７】本発明の用剤機能は、表面積の大きさが、保水性、吸着性、透水性、通気性、さらには、塩素除去機能、除菌機能、消毒機能と醗酵効果の活用を特徴とした。
【発明の効果】
【０００８】本発明は、珪藻土焼成粒・籾殻破砕・木質破砕素材は、多孔質と表面積の大きさの特徴を活用とし、炭素炭化物を付着させる技術は高性能が発揮され、安定供給を可能とし、経済負担も少なく、しかも製造工程は特別な技術を要しないのが特徴。【０００９】本発明の炭化物多孔質体に、生菌、各種微生物、バイオ技術剤等用材を含浸させることによる畜産排水の処理システム。【００１０】畜産下水の処理システムを有効とする、珪藻土焼成粒・籾殻破砕・木質破砕は、安定供給が可能であり、しかも安価であることを特徴とした。【００１１】本発明の原料は天然素材成分であり有害物質は発生しない、特有の微細空隙が保持された状態で炭化されることから多孔質体を保持することができる。【００１２】本発明の畜産下水の処理システムは、自然発酵の促進によるもので、高度技術を要しない混合成形であり、先進的な環境浄化と産業上の利用に貢献する。
【発明を実施するための最良の形態】
【００１３】畜産下水処理システムは、自然発酵の促進により安定供給のできる天然素材の利活用で環境に優しいのが特徴である。【００１４】畜産下水処理システムの自然発酵材は炭化物の混合成形であり付着することでの形態である。【００１５】多孔質体に生菌、各種微生物、バイオが自然含浸される畜産下水の処理システムが特徴。【００１６】この実施例については多孔質体の細孔構造や表面化学特性の部分に炭素を付着とした特異性の吸着材であり、畜産下水の処理システムに関する技術を特徴する。
【産業上の利用可能性】
【００１７】本発明の実施に係わる多孔質の炭化物の製造方法は、珪藻土焼成粒・籾殻破砕・木質破砕を焼成して炭化した炭化物の自然発酵の製造方法である。【００１８】多孔質体の珪藻土焼成粒・籾殻破砕・木質破砕等を、用途に応じて粉砕機を用いて粒状物を細分化し集団粒にする。【００１９】多孔質の炭化物の適用ｐＨ調整として、凝集槽・濃縮槽の処理設備に有能性が発揮される。【００２０】本発明は、環境の負荷を考慮した畜産下水の処理システムである。
(57)【要約】【課題】畜産排水の処理システムに関するもので、珪藻土焼成粒・籾殻破砕・木質破砕の多孔質体をもつ素材の状態を最大限に保持できる炭化物を焼成し、比表面積の大きい特性を活用し、保水性、吸着性、透水性、通気性等機能が十分発揮でき、さらには、塩素除去、除菌、消毒機能を特徴とした。しかも、２週間ほど袋体に混合物を詰め込み多量安価な素材を粒状の細分化、分別化の工程でもって、多孔質体に生菌・各種微生物・バイオが自然含侵され、自然発酵促進を特徴とした畜産排水の処理システム。【解決手段】畜産排水に、多孔質の珪藻土焼成粒・籾殻破砕・木質破砕に自然発酵を促進した有益機能を効率よく発揮できる炭化物を備えた。本発明は、通気性のある袋体に混合物を詰め込んで自然発酵を行なう醗酵促進方法を取り入れた畜産排水の処理システムを提供する。【選択図】なし【特許請求の範囲】
【請求項１】
珪藻土焼成顆粒・籾殻破砕・木質破砕を焼成した多孔質体に、自然発酵促進とする炭化物の粒状物を生成する工程を、用途に応じて均一粒状、もしくは異なる粒状、粉末を適用させた畜産排水処理システム。
【請求項２】
上記工程は、多孔質体の珪藻土焼成粒・籾殻破砕・木質破砕を１，０００度以下の温度で焼成し、特に２ｍｍアンダーに分別、炭化することを特徴とし、その、一種類、又は一種類以上を有した畜産排水の処理システム。
【請求項３】
上記粒状物集団を炭化した炭化物は、珪藻土焼成顆粒９０から４０重量％で炭化籾殻破砕・木質破砕１０から６０重量％の畜産悪臭除去システム。
【請求項４】
請求項１、２、３の炭化物が用途適用に粉末混合、分別混合して一種類、又は一種類以上を有する。本適用汎用が、本発明の趣旨構造を逸脱しない範囲の変更は本発明に含まれる。
【発明の詳細な説明】
【技術分野】
【０００１】本発明は、畜産排水の処理システムに関する。
【背景技術】
【０００２】従来、畜産から発生する排水物には、固形物排水と液状排水に分別し、腐敗層から離脱液に希釈水を添加し放流し、高負荷ＢＯＤ値を低下活性汚泥処理が実施されている。
【発明の開示】
【発明が解決しようとする課題】
【０００３】畜産から発生する排水の処理に経済負担を軽減とする。【０００４】炭化物を高温化に活用する場合に、より微細に、より多くの表面積をもって燃焼することが必要である。【０００５】本発明は、畜産排水に天然素材の珪藻土焼成粒・籾殻破砕・木質破砕の素材を基材にした炭化物を添加することを特徴とする畜産排水の処理システム。
【課題を解決するための手段】
【０００６】珪藻土焼成粒・籾殻破砕・木質破砕の多孔質体、細孔構造部分に炭化物を付着させることにより多孔質体を基材とした炭化物を製造し通気性のよい袋体に詰め込んで２週間ほど複数段に積み重ね効果で自然醗酵促進を可能とする。【０００７】本発明の用剤機能は、表面積の大きさが、保水性、吸着性、透水性、通気性、さらには、塩素除去機能、除菌機能、消毒機能と醗酵効果の活用を特徴とした。
【発明の効果】
【０００８】本発明は、珪藻土焼成粒・籾殻破砕・木質破砕素材は、多孔質と表面積の大きさの特徴を活用とし、炭素炭化物を付着させる技術は高性能が発揮され、安定供給を可能とし、経済負担も少なく、しかも製造工程は特別な技術を要しないのが特徴。【０００９】本発明の炭化物多孔質体に、生菌、各種微生物、バイオ技術剤等用材を含浸させることによる畜産排水の処理システム。【００１０】珪藻土焼成粒・籾殻破砕・木質破砕は、安定供給が可能であり、しかも安価であることを特徴とした。【００１１】本発明の原料は天然素材成分であり有害物質は発生しない、特有の微細空隙が保持された状態で炭化されることから多孔質体を保持することができる。【００１２】本発明の製造技術は、自然発酵の促進によるもので、高度技術を要しない混合成形であり、先進的な環境浄化と産業上の利用に貢献する。
【発明を実施するための最良の形態】
【００１３】本発明品は自然発酵の促進により安定供給のできる天然素材の利活用で環境に優しいのが特徴である。【００１４】炭化物の混合成形であり付着することでの形態である。【００１５】多孔質体に生菌、各種微生物、バイオが自然含浸される合理的畜産排水処理システムが特徴。【００１６】この実施例については多孔質体の細孔構造や表面化学特性の部分に炭素を付着とした特異性の吸着材であり、畜産悪臭除去システムに関する技術を特徴する。
【産業上の利用可能性】
【００１７】本発明の実施に係わる炭化物の製造方法は、珪藻土焼成粒・籾殻破砕・木質破砕を焼成して炭化した炭化物の自然発酵の製造方法である。【００１８】珪藻土焼成粒・籾殻破砕・木質破砕等を、用途に応じて粉砕機を用いて粒状物を細分化し集団粒にする。【００１９】用途に応じた炭化物の適用、汎用性は大幅な利活用ができ向上させることができ、常備するで有能性が発揮される。【００２０】本発明は、環境の負荷を考慮した畜産排水の処理システムである。
(57)【要約】【課題】農業廃棄物の籾殻を粉砕、破砕、摺り潰し成形の細孔構造、多孔質体は表面積の大きさを特徴とし、水分供与体をもって酸素吸収剤を提供する。その自然素材の活用をもって従来技術の問題を解決とする酸素吸収剤。【解決手段】地産地消につながる循環型の資源としての粉砕、破砕、摺り潰しの成形籾殻が好ましい。細孔構造、多孔質体に液類を吸着させる成形された酸素吸収剤を５〜９０重量部配合として用いる。安心、安全、衛生面に優れ、しかも、安定供給、安価な脱臭機能を有した酸素吸収剤が提供できる。【選択図】なし【特許請求の範囲】
【請求項１】
酸素吸収促進を有する籾殻粉砕、破砕、摺り潰し成形からなることを特徴とした酸素吸収剤。
【請求項２】
前記、酸素吸収剤を５〜９０重量部配合なることを特徴とした酸素吸収剤。
【請求項３】
酸素吸収剤を通気性包装剤なることを特徴とした消臭機能を有した酸素吸収剤。
【請求項４】
請求項１，２，３の酸素吸収剤の趣旨を逸脱しない範囲の変更は、本発明に含まれる。
【発明の詳細な説明】
【技術分野】
【０００１】粉砕、破砕、摺り潰し成形後の籾殻の細孔構造、多孔質体の素材に含有水分供与体からなる特徴とした消臭機能を有する酸素吸収剤を提供する。【０００２】本発明の酸素吸収剤は、天然素材の籾殻を粉砕、破砕、摺り潰し成形し、環境に優しい再生と保全、循環型産業開発に貢献をする。
【背景技術】
【０００３】無酸素に関する技術では、吸収余力が十分有しておらず、水分の染み発生を抑えなければならず、ゼオライト、パーライト、シリカゲルなどの利用がある。しかし、担体量面積に課題を残している。【０００４】従来、担体の小型酸素吸着剤として、アルカリ物質が実用されているがｐＨ抑制に困難さを残している。
【発明の開示】
【発明が解決しようとする課題】
【０００５】従来の活性吸着剤は、使用前、使用後の処理において、経済上および環境汚染上に難点がある。【０００６】吸着剤を活用する場合は、より微細に、より多くの細孔構造を多く持つ多孔質体、表面積をもっての素材は、吸着性が強く吸収効果が発揮される。【０００７】天然素材の籾殻を基材にした本発明は、安定供給を可能とし、安心、安全、安価な酸素吸収剤を提供することを目的とする。
【課題を解決するための手段】
【０００８】本発明の酸素吸収剤は、細孔構造、多孔質体素材の吸着特性を発揮し、水分蒸発を保持され多孔質体を基材とした酸素吸収剤を製造することが出来る。【０００９】本発明における酸素吸収剤は浄化機能があり、その表面積の大きさの特性が消臭機能、塩素除去機能、除菌機能、消毒機能をなし、その効果の活用を特徴とした。
【発明の効果】
【００１０】本発明は、籾殻の多孔質と表面積の大きさの特徴を活用とした。酸素吸収剤の製造技術は、高性能が発揮され、安価に、安定供給、しかも製造工程は特別な技術を要しない。農業廃棄物の籾殻天然素材にＳｉＯ２組成が９５．４２％の活用を特徴とした。【００１１】本発明の酸素吸収剤は、多孔質体に水，調湿液を含浸させる水分供与体よりなり、有効に取り組むことができる。【００１２】多孔質体は埋蔵量の多い天然素材の農業産廃の籾殻を用いることから安定供給、しかも安価である。【００１３】本発明の原料は天然素材であり、有害物質は発生しない。【００１４】本発明の製造技術は単純であり高度技術を要しない。
【発明を実施するための最良の形態】
【００１５】好ましくは、籾殻は地産地消につながる粉砕、破砕、摺り潰しの循環型の資源産出される籾殻を素材とした酸素吸収剤が望ましい。【００１６】粉砕、破砕、摺り潰しの成形籾殻は、保水容量のある、液状保持性特徴を有している。【００１７】籾殻を粉砕、破砕，摺り潰し成形処理による、多孔質体を含浸させる合理的な成形が特徴。【００１８】この実施例については籾殻粉砕、破砕、摺り潰しの多孔質体の細孔構造や表面化学特性の部分に水分供与体よりなるＳｉＯ２組成９５．４２％の特異性の酸素吸収剤を特徴する。
【産業上の利用可能性】
【００１９】酸素吸収剤は、食品保存技術に、カビ、細菌防止，酸化防止、品質劣化防止、消臭機能等に関する。【００２０】酸素吸収剤の常温固化が可能であることから運搬、工程、取扱が有用に活用できる。【００２１】酸素吸収剤は、食品保存、医薬品保存等品質保持用途に必要とされることを特徴とした。
(57)【要約】【課題】本発明は、汚水から起因する環境汚染を水質浄化濾過材技術でもって、消臭、魚類保護、植物の生息できる環境を提供することにある。しかも、高度な設備費用を必要としない安価に提供することを目的とする。【解決手段】木酢液の成分を珪藻土、ゼオライト、木質破片、おがくず、植物焼成粒・籾殻焼成粒の多孔質体の濾過材に含有、吸着させることにより塩素除去、酸化触媒反応をおこさせる。臭気物質を酸化分解させることにより、酸化触媒し反応する臭気物質を分解させる能力技術の開発である。蛋白質の腐敗臭、動物の排泄物質等の分解チッソ、リンサン等の残留農薬の吸着分解、流失油等の有害物質の吸着、静菌作用、酸度調整による有効微生物の生息環境を整え優れた効果を発揮します。超微細、超多孔質の天然素材は残留農薬や重金属を吸着分解します。においの二次発生源である雑菌の繁殖を防止し脱臭効果がある。多孔質濾過材処理においては、アンモニア、チッソの除去。重金属イオンの吸着除去、染色排水の脱色浄化、放射性廃水の処理、硬水の軟水化をする。アンモニアガスの吸着もあり、ガス体の分離として酸素、チッソの分離をする。アンモニア、チッソの吸着による脱臭作用、環境改善をし、環境保護、保全に貢献することを特徴とする。【選択図】なし【特許請求の範囲】
【請求項１】
水質浄化処理濾過材として多孔質の植物焼成粒・籾殻焼成粒・シリカ焼成粒のシリカ構造の極微細な空孔を形成する水質浄化濾過材。
【請求項２】
請求項１の籾殻・植物の焼成粒の単一・複数化合を形成する水質浄化濾過材。
【請求項３】
上記の趣旨を逸脱しない範囲の変更は、本発明に含まれる。
【発明の詳細な説明】
【技術分野】
【０００１】本発明は、水質浄化処理技術は、多孔質構造濾過材の向上を図り環境改善・保護・保全に寄与する。
微生物を多孔質体に濾過含浸させ生息させることにより、物理的に濾過集積の改善・有益バクテリアの生息・定着に有効面積の生物的浄化性能の改善をする。汚水の有機物を炭酸ガスと水に分解低減させる水質浄化濾過材に関する。
【背景技術】
【０００２】生ゴミ、生活汚泥、農業汚泥、産業汚泥、下水汚泥による悪化が進んでいることから、悪臭、魚類、植物の生息に汚水環境問題が起きている。
対策として設備・機材が投入されているが、十分な汚水処理対策にいたっていない。
【発明の開示】
【発明が解決しようとする課題】
【０００３】本発明は同発明者の特許公開２００７−３０１５４３を活用し、汚れ・化学物質・重金属・リン・チッソ・アンモニアを多孔質体が、重金属など、汚れを吸着し微生物・細菌類を自然分解させることにより微生物担体の栄養分に変えることにより水質浄化し自然環境を復元させる。【０００４】本発明の水質浄化処理濾過材は、多孔質の植物焼成粒・籾殻焼成粒の使用が好ましい。さらに、秋田県北秋田市より産出する多孔質珪藻土。ゼオライトは秋田県能代市二ツ井より産出する鉱物。これらを単一・混合することが望ましい。木酢液については、北秋田市産地品を活用し、日本木酢液協会の方法で分析し、木酢液の企画に定めされた品質でもっての使用であり、フェノール類を含む効果から消毒、消臭、脱臭、防菌等に効果がある。（木酢液は日本木酢液協会の認定協議会の認定品を使用）
この新技術は、環境ホルモンを含む処理用途に拡大できる。【０００５】本発明の水質浄化濾過材を前述、木酢液の機能・性能と珪藻土、ゼオライト・おがくずの単一・有用性の組み合わせを環境改善材としての提供を目的とする。
【課題を解決するための手段】
【０００６】汚水処理については、数多くの提案がなされ実用化されているものの、設備投資額と多大なる費用と人力を必要としたが、生態系に汚染を引き起こしていた。
また、水質汚水及び重金属の水質浄化が河川に放出され自然汚染や二次製品による環境破壊、水質汚染、悪臭に問題があった。
珪藻土、ゼオライトを粉砕し８００度以上で焼成する処理方法。粉砕物質６０〜８０重量％混合物２０〜４０重量％を混合し、多孔質構造の機能を向上させたものを特徴とする。
本発明の水質浄化濾過材は、汚水を分解し消臭を吸収分解する環境浄化材である。
珪藻土、ゼオライトの粒体１〜５ｍｍと炭素源としての、おがくず、木質破片、籾殻焼成粒子・植物焼成粒の単一・有用性との組み合わせをする。汚水の原因であるチッソやリンなどの物質浄化と水質浄化において微生物作用により汚泥分解作用がある。使用後は土壌改良剤として還元され資源循環型社会の推進とする。【０００７】前記大小多数の空孔形成は、物理的濾過性能を増大し、表面積の増大は、有益バクテリアの生息増大を促進し生物的濾過性能を増大し、水質浄化濾過材が得られた。
【発明の効果】
【０００８】天然素材の珪藻土、ゼオライト、おがくず、木質破片、籾殻焼成粒・、植物焼成粒の有用な多孔質濾過材の特徴と細孔部に吸着保持された微生物の相乗効果による環境改善材を得ることができた
天然資源が有する特性から、独自効果の大きい作用が発見された。【０００９】さらに環境改良材として、持続的効果の得られることが発見された。【００１０】有用な微生物を多孔質体に付着、植え付け、浸透させることにより汚水の有機物を分解する。
本発明による水質浄化濾過材は、安全性・経済性ともに優れ、低コストでしかも実用に優れた酸化分解を特徴とする環境用剤に関する。
【発明を実施するための最良の形態】
【００１１】珪藻土・ゼオライト・おがくず・木質破片・籾殻焼成粒・、植物焼成粒・木酢液の単一・混合物の多孔質濾過材をもって汚水及び有害物質を除去する。【００１２】本発明の水質浄化材は、天然多孔質物質濾過材をベースとする。
【産業上の利用可能性】
【００１３】本発明に係る水質浄化濾過材により、大小多数の空孔形成により、物理的濾過集積反応・有益バクテリア生息の有効面積による生物的濾過性能・微生物の有機物の酸化分解作用が働き、水質浄化を多孔質濾過材反応によって汚水を低減分解する。
(57)【要約】【課題】本発明の粉砕成形及びその粉砕成形装置は、ゼロエミッション型環境浄化システムの一環であり、大量に発生する粉砕原料の処理を容易とした粉砕機を提供する。【解決手段】本発明は、大量に発生する農業廃棄物を、粉砕成形装置によって単一、二種類以上の個体廃棄物を均一粒状に自動的に処理する粉砕能力の開発である。粉砕機に安心・安全なゼロエミッソン効果を取り入れることで環境改善・環境保護・保全に貢献することを特徴とする。【選択図】なし【特許請求の範囲】
【請求項１】
粉砕機の内部構造にスクリュ−の搬送システム・原料圧縮成形ノズルを装置し、連続粉砕効果による均一粒状製造物を特徴とする。
【請求項２】
粉砕機の内部構造に圧縮孔部の成形構造からなる粉砕成形装置。
【請求項３】
粉砕機の圧縮成形構造の脱着を可能としたシステムを特徴とする。
【請求項４】
粉砕機の適用汎用が本発明の趣旨構造を逸脱しない範囲の変更は本発明に含まれる。
【発明の詳細な説明】
【技術分野】
【０００１】本発明は、粉砕成形工程を粉砕・圧縮・成形にする粉砕成形装置に関する。
【背景技術】
【０００２】農業廃棄物の籾殻素材加工技術をすること無く処分されたが、籾殻の粉砕素材は、吸水性・保水性・通気性の特性を活用することに検討の余地がある。
【発明の開示】
【発明が解決しようとする課題】
【０００３】本発明は、農業廃棄物の籾殻の粉砕を目的とした提供。【０００４】上記の粉砕成形装置は、二種類以上の混在粉砕処理を可能とし、もとの原料の原型を殆ど残さず粒状に粉砕され、汎用性に拡大できる。【０００５】本発明の粉砕成形装置は、機能、性能とも有用性の組み合わせを自動で処理可能とし、作業能率の向上を図り産業育成、環境改善材としての提供を目的とする。
【課題を解決するための手段】
【０００６】本発明は、粉砕機としての有効なのは、粉砕機の内部構造に、スクリュ−を取り付けたことで、搬送効果が発揮できる。【０００７】本発明は、上記装置にノズル構造をもって粉砕機として、粉砕能力を発揮することを可能とし、上記目的を達成することで環型社会の推進とする。
【発明の効果】
【０００８】本発明は、農業廃棄物の籾殻粉砕原料を作業効率・効果の発揮できる粉砕成形装置を備える。【０００９】さらに汎用用途の創造を可能としたことから、産業上の利用範囲の拡大が図れ、環境改良材として持続的効果が得られる。【００１０】大量発生の農業廃棄物の籾殻を有用なゼロエミッション型環境浄化としての本発明の粉砕成形は、安全性・経済性ともに優れ、低コストでしかも実用に優れたことを特徴とする。
【発明を実施するための最良の形態】
【００１１】本発明の実施形態は、実施済である。大量に発生する農業廃棄物の籾殻を粉砕機で粉砕され、均一粒状に粉砕成形される。【００１２】本発明の粉砕成形及びその粉砕成形装置は、ゼロエミッション型環境浄化システムをベ−スとしたことを特徴とする。
【産業上の利用可能性】
【００１３】本発明に係る粉砕成形及びその粉砕成形装置は、ゼロエミッション型環境浄化システムにより、汎用用途拡大が図られ、安心・安全な作業効率・能率向上が図れる。
(57)【要約】【課題】廃棄物の処理システムに関し、廃棄物醗酵促進方法において、珪藻土焼成顆粒・籾殻破砕・木質破砕の多孔質体をもつ素材の状態を最大限に保持できる炭化物を焼成し、比表面積の大きい特性を活用し、保水性、吸着性、透水性、通気性等機能が十分発揮でき、さらには、塩素除去、除菌、消毒機能を特徴とした。しかも、２週間ほど袋体に混合物を詰め込み多量安価な素材を粒状の細分化、分別化の工程でもって、適用用途に対応した汎用性の進化と向上を図る。【解決手段】多孔質の珪藻土焼成顆粒・籾殻破砕・木質破砕から有益機能を効率よく発揮できる炭化物を備えた。本発明は、ミネラル成分補給効果、肥料濃度の和らげ効果のあるバラツキの少ない均質良質な堆肥が提供できる。通気性のある袋体に混合物を詰め込んで自然発酵を行なう廃棄物醗酵促進製造方法を提供する。【選択図】なし【特許請求の範囲】
【請求項１】
珪藻土焼成顆粒・籾殻破砕・木質破砕を焼成し、炭化物の粒状物を生成する工程を、用途に応じて均一粒状、もしくは異なる粒状、粉末を適用させ汎用性を図る廃棄物の醗酵促進製造方法。
【請求項２】
上記工程は、珪藻土焼成顆粒・籾殻破砕、木質破砕を１，０００度以下の温度で焼成し、特に２ｍｍアンダーに分別、炭化することを特徴とした廃棄物の醗酵促進製造方法。
【請求項３】
上記粒状物集団を炭化した炭化物は、珪藻土焼成顆粒９０から４０重量％で炭化木質破片１０から６０重量％の廃棄物の醗酵促進製造方法。
【請求項４】
請求項１、２、３の炭化物が用途適用に粉末混合、分別混合の一種類、又は一種類以上を有してなる廃棄物の醗酵促進製造方法。
【請求項５】
上記廃棄物の納入を債権化することで、二次加工製品業者は、操業の安定がはかれる、債権に応じた補填を可能とする。
【請求項６】
適用汎用が本発明の趣旨構造を逸脱しない範囲の変更は本発明に含まれる。
【発明の詳細な説明】
【技術分野】
【０００１】本発明は、廃棄物の処理するシステムに関する。
【背景技術】
【０００２】従来、廃棄物処理によってリサイクルを可能とし、例えば廃棄物の生ゴミを活用とした植物の生育に培用いてきたが、排出種類の多種類、不均質、異なる発生場所による混合質体は、組成、製造過程においてのバラツキの発生は免れない。さらに廃棄物のリサイクル化とした堆肥には、成分、効果に不確定要素がある。
【発明の開示】
【発明が解決しようとする課題】
【０００３】廃棄物のリサイクル工法の堆肥が自然破壊を防止する有益な工法である。しかし、従来工法の場合は、醗酵処理設備に高額設置と高温熱風の燃料費が多大なことから処理に経済上および環境上に難点がある。【０００４】炭化物を高温化に活用する場合に、より微細に、より多くの表面積をもって燃焼することが必要である。【０００５】天然素材の珪藻土焼成粒・籾殻破砕・木質破砕の素材を基材にした炭化物としての活用は、安定した均質の性能、成分の良質な堆肥が提供できる。廃棄物工程によって、発泡スチロールから樹脂・燃料、廃ビンの断熱パネルの製造等で生産が企業ベ−スに課題がある。
【課題を解決するための手段】
【０００６】上記、廃棄物の生産量の変動・価格の変動を考慮し、安定供給の産廃物をリサイクルできる廃棄物処理システムを提供する。【０００７】珪藻土焼成粒・籾殻破砕・木質破砕の多孔質体、細孔構造部分に炭化物を付着させることにより多孔質体を基材とした炭化物を製造し通気性のよい袋体に詰め込んで２週間ほど複数段に積み重ね効果で自然醗酵促進を可能とする。【０００８】上記、本発明の用剤機能は、表面積の大きさが、保水性、吸着性、透水性、通気性、さらには、塩素除去機能、除菌機能、消毒機能と醗酵効果の活用を特徴とした。
【発明の効果】
【０００９】本発明は、廃棄物の納入を債権化することで、加工業者の安定操業、例えば、珪藻土焼成粒・籾殻破砕・木質破砕素材の多孔質と表面積の大きさの特徴を活用とし、炭素炭化物を付着させる技術は高性能が発揮され、安定供給を可能とし、経済負担も少なく、しかも製造工程は特別な技術を要しないのが特徴。【００１０】本発明の炭化物多孔質体に、自然界の生菌、各種微生物、等が含浸され汎用性が図れる。【００１１】埋蔵量の多い珪藻土焼成粒・籾殻破砕・廃棄物の木質破砕は、安定供給が可能であり、しかも安価であることを特徴とした。【００１２】本発明の原料は天然素材成分であり有害物質は発生しない、特有の微細空隙が保持された状態で炭化されることから多孔質体を保持することができる。【００１３】本発明の製造技術は、自然発酵の促進によるもので、高度技術を要しない混合成形であり、先進的な環境浄化と産業上の利用に貢献する。
【発明を実施するための最良の形態】
【００１４】本発明品は自然発酵の促進により安定供給のできる天然素材の利活用で環境に優しいのが特徴である。【００１５】炭化物の混合成形であり付着することでの形態である。【００１６】多孔質体に生菌、各種微生物が自然含浸されることの単純さと合理的な成形製造によっての良質な堆肥が特徴。【００１７】この実施例については多孔質体の細孔構造や表面化学特性の部分に炭素を付着とした特異性の吸着剤であることを特徴とする。
【産業上の利用可能性】
【００１８】本発明の実施に係わる炭化物の製造方法は、珪藻土焼成顆粒・籾殻破砕・木質破砕を焼成して炭化した炭化物の自然発酵の製造方法である。【００１９】珪藻土焼成顆粒・籾殻破砕・木質破砕等を用途に応じて粉砕機を用いて粒状物を細分化し集団粒にする。【００２０】用途に応じた炭化物の適用、汎用性は大幅な利活用ができ向上させることができ、常備するで有能性が発揮される。【００２１】本発明は、環境の負荷を考慮した堆肥に係わるものとしたが、適用汎用性が図られ、堆肥に混合することにより品質の向上し、畜舎の消臭・汚水浄化・農業地の土壌改良材・菌床改良剤・比重の軽さ活用から融雪剤等としての使用方法にも有用である。
(57)【要約】【課題】本発明は、畜産屎尿処理システム全体の効率・効果的に屎尿により、固形分と液体分とに分離を可能浄化する汚水清浄化装置の技術である。魚類保護、植物の生息できる環境を提供することにある。しかも、高度な設備費用を必要としない屎尿の清浄化システム装置であること。【解決手段】上記、珪藻土焼成粒・木質破砕・不織布の多孔質体にバクテリアを含有、吸着させる畜産屎尿汚水の清浄化装置と汚水の清浄化能力技術の開発である。蛋白質の腐敗臭、畜産の排泄物質等の分解。臭いの二次発生源である雑菌の繁殖を防止し脱臭効果がある。アンモニア、チッソの除去。アンモニアガスの吸着もあり、ガス体の分離として酸素、チッソの分離をする。アンモニア、チッソの吸着による脱臭作用、環境改善をし、環境保護、保全に貢献することを特徴とする。【選択図】なし【特許請求の範囲】
【請求項１】
畜産の屎尿を固形分と液体に分離を可能とし、発酵・脱臭等を特徴としたから畜産屎尿処理システム。
【請求項２】
その、畜産屎尿処理システムの効率・効果的にバクテリア効果を高めることを有した畜産屎尿処理システム。
【請求項３】
汚水を珪藻土・木質・籾殻等の破片・破砕・不織布等の多孔質構造の特性を活用し、フイルタ−、濾過効果が単独、複合化構成を用途に応じて一種類、又は一種類以上を有する多孔質体を用いることで効果を得ることを特徴とした畜産屎尿処理システム。
【請求項４】
請求項１から請求項３の畜産屎尿処理システムを逸脱しない範囲の変更は、本発明に含まれる。
【発明の詳細な説明】
【技術分野】
【０００１】本発明は家畜の屎尿を固形と液体に分離し、固形を発酵・脱臭処理システムに関するものであり、家畜の屎尿汚水が社会問題となり本発生に係る汚水・消臭等処理システム技術の向上を図る。
微生物を生息させることにより汚泥の有機物を炭酸ガスと水に分解低減させ家畜屎尿水を浄化する。
【背景技術】
【０００２】畜産汚水等から水質汚染が環境問題となっている。周辺悪臭、魚類、植物の生息に問題が起きている。その対策として設備、機材が投入されているものの、十分な処理水対策にいたっていない。
【発明の開示】
【発明が解決しようとする課題】
【０００３】本発明は、畜産屎尿を吸着し微生物、細菌類を自然分解させることにより微生物担体の栄養分に変え、水質浄化により、自然環境を復元させる。【０００４】上記、畜産屎尿処理システム技術は、環境ホルモンを含む処理用途に拡大できる。【０００５】本発明は、珪藻土小生顆粒・木質破砕・不織布等の多孔質特性の有用性の組み合わせを環境改善材としての提供を目的とする。
【課題を解決するための手段】
【０００６】汚水処理については、数多くの提案がなされ実用化されているものの、設備投資額と多大なる費用と人力を必要としたが、生態系に汚染を引き起こしていた。また、水質汚水が河川に放出され自然汚染や二次製品による環境破壊、水質汚染、悪臭に問題があった。
珪藻土を粉砕し８００度以上で焼成する処理方法。木質粉砕物質の多孔質構造機能の破片・破砕・不織布の組み合わせを濾過向上させたものを特徴とする。
本発明の汚水処理システムは、水質の消臭を吸収分解し、維持管理費が少なくてすむ。汚水の清浄化装置に珪藻土、炭素源としての木質破砕の粒子を不織布の多数屈曲の袋状に混入する。汚染の原因であるチッソやリンなどの物質浄化と水質浄化において微生物作用により水質浄化作用がある。使用後は土壌改良剤として還元され資源循環型社会の推進とする。
【発明の効果】
【０００７】天然素材の珪藻土焼成粒・木質破砕・不織布の有用な特徴と細孔部に吸着保持された微生物の相乗効果によってこれまでにない優れた環境改善材と装置を得ることができた。
天然資源が有する特性から、独自効果の大きい作用が発見された。【０００８】さらに、畜産屎尿処理システムの持続的効果の得られることが発見された。【０００９】有用な微生物を多孔質体に付着、植え付け、浸透させることにより汚水の清浄化と汚泥の有機物を分解し、畜産屎尿システム全体が効率・効果的なシステムとなる。
本発明は、畜産屎尿処理において、清浄化とその装置の汚泥分解、水質浄化剤は、安全性、経済性ともに優れ、低コストでしかも実用に優れた分解を特徴とする畜産屎尿システムは、環境用材に関する。
【発明を実施するための最良の形態】
【００１０】珪藻土焼成顆粒・木質破砕・不織布の混合物等は、家畜屎尿の含水率を略７０％に調製可能とする屎尿処理を特徴とする。【００１１】本発明の畜産屎尿処理システム浄化剤は天然多孔質物質をベースとしており人畜無害を特徴とする。
【産業上の利用可能性】
【００１２】本発明に係る畜産屎尿処理システムによって屎尿分解することから汚染に対応することにより微生物の有機物の分解作用によって屎尿汚水の清浄化と汚泥を低減分解する。
(57)【要約】【課題】生活排水や農業排水、産業廃水等が流入されることに起因する汚染された水は、改善されることなく下流に流れていき池・沼・河川・海水等に水質汚染の問題を引き起こしている。水流浄化・気流浄化の機械装置は維持費や管理費や運転費用の問題から広く実用されない課題がある。【解決手段】本発明は、単一・複数の連結した多孔質素材のコンクリートを主体とした構造体内部に配置した浄化材にスム−ズに触れさせることで構造物内の水流・気流・水流気流混合粒子が水中の酸素飽和度を向上させ、螺旋水流・螺旋気流現象を特徴とする水流・気流・水流気流混合粒子の浄化清浄装置及び構造物。【選択図】なし【特許請求の範囲】
【請求項１】
単一・複数連結した多孔質素材螺旋構造のコンクリ−製品内部通過の水流粒子・気流粒子・水流気流混合粒子を特徴とした浄化清浄装置。
【請求項２】
前記、構造物内での水流粒子・気流粒子・水流気流混合粒子を螺旋構造通過により、振動・波動現象が発生し、極微粒子化渦流効果によって浄化作用・マイナスイオンが発生する。その内部に配置した浄化材にスム−ズに触れることで、水流粒子・気流粒子・水流気流混合粒子の酸素飽和度を向上させることを特徴とした浄化清浄装置。
【請求項３】
請求項１，２に記載の装置を池・沼・河川・海水等の浄化を特徴とした水質浄化装置。
【請求項４】
上記、浄化清浄装置は、下水道・汚水道等の汎用を可能とし、環境保全に貢献する。本発明の趣旨を逸脱しない範囲の変更は、本発明に含まれる。
【発明の詳細な説明】
【技術分野】
【０００１】本発明は、螺旋水流粒子・螺旋気流粒子・螺旋水流気流混合粒子の浄化清浄装置及びその構造物を提供する。
【背景技術】
【０００２】
【特許文献】特許公開願２００７−３０１５４３
【発明の開示】
【発明が解決しようとする課題】
【０００３】生活排水や農業排水、産業廃水等が流入されることに起因する汚染された水は、改善されることなく下流に流れていき水質汚染の問題を引き起こしている。水質浄化の機械装置は維持費や管理費や運転費用の問題から広く実用されない課題がある。
【課題を解決するための手段】
【０００４】単一・複数の連結した多孔質素材のコンクリ−ト構造をベ−スに、構造内部を螺旋状に形成された浄化材を配置し、スム−ズに触れさせることで振動・波動現象が発生する。よって、極微粒子化渦流効果により水中の酸素飽和度を向上させ、その浄化清浄を特徴とする。
【発明の効果】
【０００５】本発明は、オ−バ−フロ−による水流の上昇時にも浄化材との接触を十分にし、水中の流体・気体の酸素飽和度を向上させ水質浄化清浄することで、環境の改善になる。【０００６】現状の環境に活用でき、大掛かりな工事を必要としないで、水流・気流環境、水辺環境の保全に繋がる。【０００７】本装置に水流・気流が流れると波動が発生し、その波動効果によって、その極微粒化による電位が発生する。その極微粒子の運動によって水流・気流が活性化し、水流浄化・気流浄化作用を促進する。【０００８】よって、化石燃料を使用しない。地球の温暖化・環境汚染・水辺汚染・自然破壊の進む今日に本発明は大きく貢献をする。
【発明を実施するための最良の形態】
【０００９】本発明の装置・構造物は、コンクリートをベ−スとした水流・気流の浄化清浄装置の提案である。好ましくは、連続多孔の形成のポ−ラスコンクリ−トが良い。【００１０】好ましくは、製造骨材は粒径の等しい砕石使用が望ましい。【００１１】螺旋状構造物の通過の極微粒子化効果が、水流浄化・気流浄化・水流気流浄化作用することの提案によって地球環境に大きく貢献する。
【産業上の利用可能性】
【００１２】地球環境に優しく、低コストの開発で費用対効果の期待と健全な環境効果が得られ産業状の利用促進ができる。
(57)【要約】【課題】本発明は、処理の効果・効率・安価な有害物処理を図るおが屑粒子による廃棄物処理剤の基材開発である。生活汚泥・農業汚泥・産業汚泥・畜産汚泥・下水汚泥・バイオマストイレの用材等から起因する環境汚染を分解技術、封じ込め消化・消滅技術でもって排水処理・魚類保護・植物の生息できる環境を提供することにある。しかも、高度な設備費用を必要としない容易に製造できることを特徴とする。【解決手段】おが屑を製法加工、物理的処理をすることによって多孔質化が実現でき、有害物質汚泥・廃水等の廃棄物質の分解消化・消滅処理剤は能力技術の開発であり、おが屑の粒子に有害物を付着させての封じ込め消化・消滅効果から、本発明のおが屑を補充・補填を特徴とし、取り除く省力化をもって解決とする。【選択図】なし【特許請求の範囲】
【請求項１】
おが屑の粒子を多孔質構造に製法、加工し有機廃棄物の消化・消滅を特徴とする。
【請求項２】
おが屑の粒子を処理剤、加熱、乾燥処理を施したことを特徴とする。
【請求項３】
おが屑の粒子に好気性菌の繁殖培養助長を可能とすることを特徴とする。
【請求項４】
有害物質はおが屑粒子に付着する性質をとらえ、有害物質を袋体またはストックヤード・ピット装置内の粒子に残留・担持・保有をさせ、脱水作用で水分を透過させ、付着物の有害物質の封じ込め・消化・消滅処理方法。
【請求項５】
廃棄物・建設工事・汚泥・バイオマストイレの用材・一般を含む一種または複種類からなる有害物質の封じ込め・消化・消滅処理方法。
【請求項６】
前記袋体は、好ましくはポリエステル、ポリプロレン等化学繊維で成形された透水性袋体の使用が望ましい。
【請求項７】
前記透水性袋体は、好ましくは数枚重ね入れた多重袋体の効果は発揮される。
【請求項８】
請求項４に請求項１から３の透水性のあるおが屑の粒子に透水してなる水質浄化方法を上記に取り入れた有害物質の封じ込め処理方法。
【請求項９】
上記、おが屑粒子に付着した有害物を封じ込めた袋体は所定の基準を満たした指定された場所内に封じ込める、請求項１から７の１項または複数項記載の有害物処理方法。
【請求項１０】
上記においての趣旨を逸脱しない範囲の変更は、本発明に含まれる。
【発明の詳細な説明】
【技術分野】
【０００１】本発明は、有害物質がおが屑の粒子に付着反応する性質を取り入れた有害廃棄物の消化・消滅処理技術に関する。
【背景技術】
【０００２】有害廃棄物質処理・産業汚水・家庭からの排水汚水・生活汚水・バイオマストイレの用材・農業汚水・産業汚水・下水汚水等の混雑により人体・畜産環境に悪化が進んでいることから、悪臭・魚類・植物の生息に有害物問題が起きている。【０００３】かかる問題処理として各種技術開発がなされてきた。しかし、対策として設備、機材が投入されているものの、十分な処理対策に至っていない。
【発明の開示】
【発明が解決しようとする課題】
【０００４】本発明は、おが屑の粒子を多孔質化処理することにより、好気性菌の繁殖宿培養によって浄化効果が得られる。その浄化処理基材とその製造方法の発明。
汚水・化学物質・リン・チッソ・アンモニアなどの汚れを吸着し微生物・細菌類を自然分解させることにより微生物担体の栄養分に変えることにより分解浄化することで自然環境の保護を試み為される。【０００５】おが屑は、森林間伐材・道路工事・流木・解体工事等の木材資源の有効活用を図ることによる資源リサイクルの貢献になる。
この新技術は、環境ホルモンを含む処理用途に拡大できる。【０００６】本発明は、おが屑の粒子の有用性を請求項１から３を環境改善剤としての提供を目的とする。【０００７】請求項４の有害物質は、おが屑粒子に付着する性質をとらえ、有害物質を袋体またはストックヤード・ピット装置内のおが屑粒子に残留・担持・保有をさせ、脱水作用で水分を透過させ、付着物の有害物質の封じ込め、ならびに排水基準値を下回る処理方法。
【課題を解決するための手段】
【０００８】上記の課題を解決するには、汚水処理については、数多くの提案がなされ実用化されているものの、設備投資額と多大なる費用と人力を必要としたが、生態系に汚染を引き起こしていた。
また、水質汚水が河川に放出され自然汚染や二次製品による環境破壊・水質汚染・悪臭に問題があった。【０００９】おが屑粒子を多孔質にすることでの効果は、表面積、空隙率の多孔質構造機能を活用したものを特徴とする。
本発明の浄化材は、排水・汚泥を消化・消滅・吸収分解する環境浄化剤であり環境汚染はない。【００１０】本発明の浄化処理基材の有効性は資源循環型社会の推進とする。【００１１】本発明によって汚水・汚泥処理・産業・畜産業のし尿処理においても対応し有効活用は確立される。
【発明の効果】
【００１２】天然素材のおが屑の粒子は有用な特徴と細孔部に吸着保持された微生物の相乗効果による環境改善剤を得ることができた。天然資源が有する特性から、独自効果の大きい作用が発見された。【００１３】さらに環境改良剤として、持続的効果の得られることが発見された。【００１４】有用な微生物がおが屑の多孔質体に付着・浸潤され廃棄物の分解処理ができる。
本発明による廃棄物質処理剤は、安心・安全性・経済性ともに優れ、低コストでしかも実用に優れた従来にない環境用剤を供することができる。【００１５】上記のおが屑粒子効果は、有害物質を含む物質を封じ込め、減溶化できる。また脱水に伴っての排出水は、環境基準値を下回る。
【発明を実施するための最良の形態】
【００１６】本発明のおが屑の粒子を汚水に接触することで有害物質が吸着、付着され封じ込められる。固液分解によるＢＯＤ減少反応がおきる汚水および有害物質が分解された。【００１７】さらに、固液分解のＳＳ，ＢＯＤは水分反応となった。【００１８】このことは、醗酵分解消化の条件から無数の菌、微生物菌が発生した。【００１９】発生した菌、微生物菌は、ＳＳ，ＢＯＤ源を分解消化によって二酸化炭素や水に分解される。【００２０】このような多面性のあるおが屑粒子によって浄化された水となる。【００２１】本発明の廃棄物質処理剤は天然多孔質物質をベースとする。【００２２】有害廃棄物質の封じ込めの袋体は、好ましくはポリエステル、ポリプロレン等の化学繊維で成形された透水性袋体の使用が望ましい。【００２３】前記、透水性のある袋体を好ましくは、数枚重ね入れた多重袋体にする効果は、重ねると透過孔が小さくなり濾過効果と水と移動する際有害物質がおが屑粒子に封じ込まれる。【００２４】上記に、透水性のあるおが屑粒子に透水してなる水質浄化方法を取り入れた有害物質処理方法。
【産業上の利用可能性】
【００２５】本発明に係る有害物質の封じ込め・消化・消滅処理技術は、建設工事・汚泥・バイオマストイレの用材等の一種類または複種類からなる有害廃棄物・生活汚泥・農業汚泥・産業汚泥・家畜汚泥・下水汚泥等から起因する環境汚染を消化・消滅・低減分解することと、本発明のおが屑を補填・補填をすることで取り除きの省力化がはかれることを特徴とする。
(57)【要約】【課題】本発明は、畜産汚水処理システムにおいて各工程の処理を円滑・確実な装置、さらには、システム全体が効率的・効果的な汚水清浄化装置である。魚類保護、植物の生息できる環境を提供することにある。【解決手段】畜産汚水の汲み上げポンプに固形物の混入から管中の詰まりをサイホン原理で自動的に検出作動によって稼動が止まり、汲み上げ連続が停止をし、逆流落差によって詰まり物質が自動的に排除され再始動を繰り返し、円滑な汚水処理システムの開発である。【選択図】なし【特許請求の範囲】
【請求項１】
畜産汚水をサイホン構造で、管中汚水落差圧現象をとらえ、屈曲成形状に構成された汚水管を設けてなる畜産汚水処理システムを特徴とした汚水処理システム。
【請求項２】
その、汚水処理システムの内管機能にスクリュウ機能で汚水の送り出し効果を高めることを有した汚水処理システム。
【請求項３】
汚水を珪藻土焼成顆粒・木質・籾殻等の破片・破砕・不織布等の多孔質構造の特性を活用し、フイルタ−を濾過とする。その効果は、単独、複合化構成を用途に応じて一種類、又は一種類以上を有する多孔質体を用いることで効果を得ることを特徴とした汚水処理システム。
【請求項４】
請求項１から請求項３の汚水処理システムを逸脱しない範囲の変更は、本発明に含まれる。
【発明の詳細な説明】
【技術分野】
【０００１】本発明は畜産の汚水処理システムをサイホン構造・スクリュウ構造に関するものであり、汚水が社会問題となり本発生に係る畜産汚水の水質浄化処理技術の向上を図り水質浄化処理に寄与する。
【背景技術】
【０００２】畜産汚水から水質汚染が環境問題となっている。悪臭、魚類、植物の生息に問題が起きている。
対策として設備、機材が投入されているものの、十分な処理水対策にいたっていない。
【発明の開示】
【発明が解決しようとする課題】
【０００３】本発明は、畜産汚水から、水質浄化により、自然環境を復元させる。【０００４】上記汚水をサイホン構造で組み上げ、スクリュウ構造で汚水を送り出し汚水処理システムをもって稼動率を上げる。この技術は、環境ホルモンを含む処理用途に拡大できる。【０００５】本発明の解決課題は、家畜汚水を汲み上げ処理の工程装置をシステムとして効率・効果的な汚水処理を実施する。
【課題を解決するための手段】
【０００６】畜産汚水処理については、数多くの提案がなされ実用化されているものの、設備投資額と多大なる費用と人力を必要としたが、生態系に汚染を引き起こしていた。また、水質汚水及び重金属の水質浄化が河川に放出され自然汚染や二次製品による環境破壊、水質汚染、悪臭に問題があった。本発明技術は、汚水の汲み上げポンプの管中の汚水をサイホン落差の原理を活用としたもの。タイマ−装置の時間設定を可能とした。【０００７】珪藻土を粉砕し８００度以上で焼成する処理方法。木質粉砕物質の多孔質構造機能の破片・破砕・不織布の組み合わせをフィルタ−、濾過等によって向上させたことを特徴とする。【０００８】本発明の汚水処理システムは、水質の消臭を吸収分解し、維持管理費が少なくてすむ。汚水の清浄化装置に珪藻土、炭素源としての木質破砕の粒子を不織布の多数屈曲の袋状に混入する。汚染の物質浄化と水質浄化において水質浄化作用がある
【発明の効果】
【０００９】畜産汚水には、固形物が混入することから管中が詰まる状態解決をサイホン原理でもって逆流させ、間欠水流円滑対応を特徴とした。さらにスクリュウを管中に装置をし、汚水流出を円滑とした。【００１０】上記によって円滑な管中システムは、持続的効果の得られることが発見された。【００１１】有用な微生物を多孔質体の珪藻土焼成顆粒・木質破砕・不織布に付着、植え付け、浸透させることにより家畜汚水の有機物を分解する。
本発明による汚水の清浄化とその畜産汚水処理システムは、安全性、経済性ともに優れ、低コストでしかも実用に優れている。
【発明を実施するための最良の形態】
【００１２】畜産汚水処理システムは、珪藻土焼成顆粒・木質破砕・不織布等の濾過機能から成り、汚水を除去する。【００１３】本発明の水質浄化剤は天然多孔質物質をベースとしており人畜無害を特徴とする。
【産業上の利用可能性】
【００１４】本発明は、家畜の汚水を汲み上げ、処理システムをもって、円滑処理が実現し、システム全体が効率・効果的に固形分と液体分を可能とした分離浄化の装置に関する。
(57)【要約】【課題】畜産悪臭防止システムに関するもので、珪藻土焼成粒・籾殻破砕・木質破砕の多孔質体をもつ素材の状態を最大限に保持できる炭化物を焼成し、比表面積の大きい特性を活用し、保水性、吸着性、透水性、通気性等機能が十分発揮でき、さらには、塩素除去、除菌、消毒機能を特徴とした。しかも、２週間ほど袋体に混合物を詰め込み多量安価な素材を粒状の細分化、分別化の工程でもって、適用用途に対応した汎用性の進化と向上をはかる。【解決手段】多孔質の珪藻土焼成粒・籾殻破砕・木質破砕から有益機能を効率よく発揮できる炭化物を備えた。本発明は、通気性のある袋体に混合物を詰め込んで自然発酵を行ない、廃棄物物醗酵促進方法を取り入れた畜産悪臭防止システムを提供する。【選択図】なし【特許請求の範囲】
【請求項１】
珪藻土焼成顆粒・籾殻破砕・木質破砕を焼成し、炭化物の粒状物を生成する工程を、用途に応じて均一粒状、もしくは異なる粒状、粉末を適用させた畜産悪臭除去システム。
【請求項２】
上記工程は、珪藻土焼成粒・籾殻破砕・木質破砕を１，０００度以下の温度で焼成し、特に２ｍｍアンダーに分別、炭化することを特徴とし畜産悪臭除去システム。
【請求項３】
上記粒状物集団を炭化した炭化物は、珪藻土焼成顆粒９０から４０重量％で炭化籾殻破砕・木質破砕１０から６０重量％の畜産悪臭除去システム。
【請求項４】
請求項１、２、３の炭化物が用途適用に粉末混合、分別混合して一種類、又は一種類以上を有する。本適用汎用が、本発明の趣旨構造を逸脱しない範囲の変更は本発明に含まれる。
【発明の詳細な説明】
【技術分野】
【０００１】本発明は、畜産悪臭除去システムに関する。
【背景技術】
【０００２】従来、畜産から発生する悪臭は、免れないものとする傾向がある。
【発明の開示】
【発明が解決しようとする課題】
【０００３】畜産から発生する公害悪臭気の除去処理に経済負担を軽減とする。【０００４】炭化物を高温化に活用する場合に、より微細に、より多くの表面積をもって燃焼することが必要である。【０００５】本発明は、天然素材の珪藻土焼成粒・籾殻破砕・木質破砕の素材を基材にした炭化物としての活用は、悪臭気を除去提供できる。
【課題を解決するための手段】
【０００６】珪藻土焼成粒・籾殻破砕・木質破砕の多孔質体、細孔構造部分に炭化物を付着させることにより多孔質体を基材とした炭化物を製造し通気性のよい袋体に詰め込んで２週間ほど複数段に積み重ね効果で自然醗酵促進を可能とする。【０００７】本発明の用剤機能は、表面積の大きさが、保水性、吸着性、透水性、通気性、さらには、塩素除去機能、除菌機能、消毒機能と醗酵効果の活用を特徴とした。
【発明の効果】
【０００８】本発明は、珪藻土焼成粒・籾殻破砕・木質破砕素材は、多孔質と表面積の大きさの特徴を活用とし、炭素炭化物を付着させる技術は高性能が発揮され、安定供給を可能とし、経済負担も少なく、しかも製造工程は特別な技術を要しないのが特徴。【０００９】本発明の炭化物多孔質体に、生菌、各種微生物、バイオ技術剤等用材を含浸させることにより、汎用性が図れる。【００１０】珪藻土焼成粒・籾殻破砕・木質破砕は、安定供給が可能であり、しかも安価であることを特徴とした。【００１１】本発明の原料は天然素材成分であり有害物質は発生しない、特有の微細空隙が保持された状態で炭化されることから多孔質体を保持することができる。【００１２】本発明の製造技術は、自然発酵の促進によるもので、高度技術を要しない混合成形であり、先進的な環境浄化と産業上の利用に貢献する。
【発明を実施するための最良の形態】
【００１３】本発明品は自然発酵の促進により安定供給のできる天然素材の利活用で環境に優しいのが特徴である。【００１４】炭化物の混合成形であり付着することでの形態である。【００１５】多孔質体に生菌、各種微生物、バイオが自然含浸されることの単純さと合理的な成形製造によって畜産悪臭除去システムが特徴。【００１６】この実施例については多孔質体の細孔構造や表面化学特性の部分に炭素を付着とした特異性の吸着材であり、畜産悪臭除去システムに関する技術を特徴する。
【産業上の利用可能性】
【００１７】本発明の実施に係わる炭化物の製造方法は、珪藻土焼成粒・籾殻破砕・木質破砕を焼成して炭化した炭化物の自然発酵の製造方法である。【００１８】珪藻土焼成粒・籾殻破砕・木質破砕等を、用途に応じて粉砕機を用いて粒状物を細分化し集団粒にする。【００１９】用途に応じた炭化物の適用、汎用性は大幅な利活用ができ向上させることができ、常備するで有能性が発揮される。【００２０】本発明は、環境の負荷を考慮した畜産の悪臭防止システムである。